(57)【特許請求の範囲】
【請求項１】
平面視円形に構成した基礎（２）上の周囲に、複数個の長方形状のパネル（３）を連結して側壁として立設し、内部にスラリーを貯留するスラリータンク（１）であって、前記パネル（３）の側縁部（３ａ）を外側に屈曲させて、側壁の外側面で連結固定し、該パネル（３・・・）の上部外周側には、断面視Ｌ側の固定部材（１０）の垂直方向の一側面が固定され、該固定部材（１０）の他面の水平部分は、上端に位置させて外方に向け、該隣り合うパネル（３・３）の固定部材（１０・１０）間の水平部上に、連結板（１２）を載置し、該連結板（１２）と固定部材（１０）を、ボルト・ナット（１５・１５）によって螺合固定し、該パネル（３・・・）の上部を連結板（１２・・・）によって、環状に連結すること特徴とするスラリータンク。
【発明の詳細な説明】
【０００１】
【発明の属する技術分野】
本発明は、牧場や畜舎等において飼育、肥育される牛、豚等の家畜の糞尿等の排泄物、いわゆるスラリーを集めるタンクの構成に関する。
【０００２】
【従来の技術】
従来から牧場や畜舎等において家畜の排泄物、いわゆるスラリーは集めて地面に掘った穴に貯留していたが、土壌に浸透して、特に、尿成分が地下水を汚染するという環境問題が生じていた。そこで、地面にコンクリートを敷設し、コンクリート基礎上にコンクリートパネルをブロック状に積み上げて環状の側壁を形成し、内周面を合成樹脂等で被覆したタンクが公知となっている。例えば特開昭５４−５５８１１号の技術である。また、基礎上に複数の板状のパネルを立設し、それぞれのパネルの側部同士を重ねてボルト・ナットやリベット等で連結して環状に側壁を形成したスラリータンクも公知となっている。このタンクは酪農の規模や設置する空間に合わせて、パネルの個数を増減しタンクの直径を増減して、容量を所望の大きさに合わせることができる。
【０００３】
【発明が解決しようとする課題】
しかし、従来の複数の板体を環状に並べたタンクにおいては、隣り合う板状のパネルの端部を側壁の平面方向に重ね合わせ、側壁の内面と外面との間にボルト・ナットやリベット等を用いて接合する構成となっており、ボルトまたはリベットを挿入する一方がタンク内側となり、組み立てる作業のときは、内側と外側に作業者が位置する必要があり、作業性が悪くなっていた。また、重ね合わせ部分やボルト孔またはリベット挿入孔等からスラリーがしみ込むことがあり、耐久性を高めるためにエナメルコーティング等を施して防腐性を高める必要があり、コストアップとなっていた。
【０００４】
【課題を解決するための手段】
本発明はこのような問題点を解消するために、次のように構成したものである。
平面視円形に構成した基礎（２）上の周囲に、複数個の長方形状のパネル（３）を連結して側壁として立設し、内部にスラリーを貯留するスラリータンク（１）であって、前記パネル（３）の側縁部（３ａ）を外側に屈曲させて、側壁の外側面で連結固定し、該パネル（３・・・）の上部外周側には、断面視Ｌ側の固定部材（１０）の垂直方向の一側面が固定され、該固定部材（１０）の他面の水平部分は、上端に位置させて外方に向け、該隣り合うパネル（３・３）の固定部材（１０・１０）間の水平部上に、連結板（１２）を載置し、該連結板（１２）と固定部材（１０）を、ボルト・ナット（１５・１５）によって螺合固定し、該パネル（３・・・）の上部を連結板（１２・・・）によって、環状に連結するものである。
【０００５】
【本発明の実施の形態】
本発明が解決しようとする課題及び解決するための手段は以上の如くであり、次に添付の図面に示した実施例の構成を説明する。
図１は本発明の連結固定構成を有するスラリータンクの側面図、図２は同じく平面図、図３はスラリータンクの側壁を形成するパネルの支持構成を示す側面断面図、図４は同じく平面断面図、図５はスラリータンクの側壁の部分側面図、図６はパネル上部の連結構成を示す平面図、図７は同じく側面図、図８は本発明のパネルの連結構成を示す平面図、図９は同じく側面図である。
【０００６】
図１、図２において本発明のスラリータンク１の全体構成から説明する。
該スラリータンク１は、コンクリートによって形成した基礎２上に、長方形状に形成した複数の板状のパネル３・３・・・を立設して形成され、該パネル３・３・・・同士は側端部と側端部とを連結させて、平面視で多角形または略環状に形成して側壁され、スラリー（牛、豚等の家畜の糞尿等の排泄物等）を貯留できるようにタンクが形成されている。尚、前記パネル３は、平らなものに限定せず、タンク１の半径に合わせて円弧状に湾曲させることもできる。
【０００７】
また、前記パネル３を基礎２上に立設する構成は、図３、図４に示すように、前記パネル３下部に断面視Ｌ状の支持部材６がタンク外側を向くようにして、その垂直方向の一側面がボルト・ナット７・７・・・によって螺合固定され、支持部材６の水平状の他面が基礎２上面に載置される。
【０００８】
一方、前記基礎２には予めアンカー４・４・・・が適所位置（支持部材６よりさらに外側位置）に鉛直に埋設されてネジの一部が上方に突出され、該アンカー４には押さえ板５に構成した長孔状の挿入孔５ａが挿入され、押さえ板５の一端は前記支持部材６の水平状の面に載置し、アンカー４上部のネジ部にナット９を螺設して締め付け、支持部材６を押さえ付ける構成としている。
尚、押さえ板５の他端は「く」字状に折り曲げて、基礎上に載置して、締め付けて固定するときに、押さえ板５の一端が支持部材６上面に面で押しつけるようにし、また、「く」字状部分で弾性を与え、ズレたりナットの緩みを防止する構成としている。
【０００９】
また、図５〜図７に示すように、前記パネル３・３・・・の上部外周側には、断面視Ｌ側の固定部材１０の垂直方向の一側面がボルト・ナット１１・１１・・・によって螺合固定され、該固定部材１０の他面の水平部分は上端に位置させて外方に向けている。そして、隣り合うパネル３・３の固定部材１０・１０間の水平部上には連結板１２が載置されて、該連結板１２と固定部材１０がボルト・ナット１５・１５によって螺合固定される。このようにしてパネル３・３・・・上部が連結板１２・１２・・・によって環状に連結される。
【００１０】
そして、本発明における隣り合うパネル３・３同士を連結固定する構成について図５〜図９を用いて説明する。前記パネル３の左右両側（長辺側）は、平面に対して略直角方向に屈曲させて縁部３ａ・３ａが形成され、平面視で略「コ」字状に形成している。該縁部３ａ・３ａは外側（スラリータンク１の半径方向）に向けて配置され、各パネル３・３・・・を基礎２上に立設した時に、その縁部３ａはその隣のパネル３の縁部３ａと密着して合わせる。この当接した縁部３ａ・３ａを上下方向一定間隔毎にボルト・ナット１３・１３・・・で螺合固定し、縁部３ａ・３ａが強固に重ね合わされ、スラリータンク１のシール性を高めている。
また、前記縁部３ａ・３ａはスラリータンク１の外方に突出されており、ボルト１３はスラリータンク１の外側から固定することができて、そのボルト孔はタンク外に位置しているので、スラリーがボルト孔に侵入して腐食することもないのである。
そして、ボルト・ナット１３・１３・・・による組み付け作業をスラリータンク１の外側からのみで行うことができので、パネル３・３の端部を平面方向に重ね合わせて両者をボルト・ナットで螺合固定するように、タンクの内側と外側より組立を作業を行う必要がなく、組立作業が簡単となる。
【００１１】
そして、前記ボルト・ナット１３・１３・・・を用いてパネル３・３・・・同士を組み付けて環状の側壁を形成した後に、図３に示すように、パネル３・３・・・下部の内周面側及び外周面側を樹脂材１４（市販されている商品名タールエポキシ）によって被装する。該樹脂材１４によってパネル３・３・・・下端部と基礎２上面との間よりスラリーがスラリータンク１外に漏れ出ることが防がれる。また、前記支持部材６を螺合したボルト・ナット７・７・・・や、アンカー４等も樹脂材１４で被装され、ボルト７を挿入したボルト孔内にスラリーが侵入することもなく、腐食も防げる。
【００１２】
【発明の効果】
以上のように構成したので、本発明は次のような効果を奏するものである。
平面視円形に構成した基礎（２）上の周囲に、複数個の長方形状のパネル（３）を連結して側壁として立設し、内部にスラリーを貯留するスラリータンク（１）であって、前記パネル（３）の側縁部（３ａ）を外側に屈曲させて、側壁の外側面で連結固定し、該パネル（３・・・）の上部外周側には、断面視Ｌ側の固定部材（１０）の垂直方向の一側面が固定され、該固定部材（１０）の他面の水平部分は、上端に位置させて外方に向け、該隣り合うパネル（３・３）の固定部材（１０・１０）間の水平部上に、連結板（１２）を載置し、該連結板（１２）と固定部材（１０）を、ボルト・ナット（１５・１５）によって螺合固定し、該パネル（３・・・）の上部を連結板（１２・・・）によって、環状に連結することによって、連結固定する縁部がスラリーに接触することがなくなり、その部分の腐食を防止できる。
その為に、その接触する部分に高価なエナメルコーティング処理する必要がなく、鋼板に安価な溶融亜鉛メッキ処理を行うだけでよくなり、コスト低減化が図れる。
更に、側壁の外側面で連結固定し、固定部材の上面を連結板で固定したことによって、例えば、パネルの端部を重ね合わせてボルト・ナットやリベット等を用いて固定する構成に比べ、側壁の外側から組立ができて、組立が容易となるのである。
【図面の簡単な説明】
【図１】  本発明の連結固定構成を有するスラリータンクの側面図である。
【図２】  同じく平面図である。
【図３】  スラリータンクの側壁を形成するパネルの支持構成を示す側面断面図である。
【図４】  同じく平面断面図である。
【図５】  スラリータンクの側壁の部分側面図である。
【図６】  パネル上部の連結構成を示す平面図である。
【図７】  同じく側面図である。
【図８】  本発明のパネルの連結構成を示す平面図である。
【図９】  同じく側面図である。
【符号の説明】
１  スラリータンク
２  基礎
３  パネル
３ａ  縁部
【図１】
0003811282.tif 000002
【図２】
0003811282.tif 000003
【図３】
0003811282.tif 000004
【図４】
0003811282.tif 000005
【図５】
0003811282.tif 000006
【図６】
0003811282.tif 000007
【図７】
0003811282.tif 000008
【図８】
0003811282.tif 000009
【図９】
0003811282.tif 000010